(57)【要約】【課題】特別な装置が不要で、低コストで主ロープの保守作業を可能とする。【解決手段】つり合いおもり６及び乗りかご２が主ロープ８により連結され、主ロープ８を巻上機７によって駆動することにより、乗りかご２を昇降させるエレベータ１の保守装置において、かご位置１５を記憶する記憶装置１６Ａと、乗りかご２の上昇と下降を指示入力するための上昇釦３Ｂ及び下降釦３Ｃが設けられた点検用スイッチボックス３と、を備え、上昇釦３Ｂと下降釦３Ｃを同時押ししたとき、そのときのかご位置１５を記憶装置１６Ａに登録し、停止スイッチ３Ａと上昇釦３Ｂと下降釦３Ｃ同時押しでかご位置１５登録を解除する。【選択図】図１
2016008092.tif 000002
【特許請求の範囲】
【請求項１】
つり合いおもり及び乗りかごが主ロープにより連結され、当該主ロープを巻上機によって駆動することにより、前記乗りかごを昇降させるエレベータの保守装置において、
かご位置を記憶する記憶手段と、
前記乗りかごの上昇と下降を指示入力するための上昇釦及び下降釦が設けられた点検用スイッチボックスと、
を備え、
前記上昇釦と前記下降釦を同時押ししたとき、そのときのかご位置を前記記憶手段に登録し、あるいは前記記憶手段から消去することを特徴とするエレベータの保守装置。
【請求項２】
請求項１に記載のエレベータの保守装置において、
前記同時押しが、所定時間の長押しであることを特徴とするエレベータの保守装置。
【請求項３】
請求項１又は２に記載のエレベータの保守装置において、
前記記憶手段が、かご上に設けられた前記制御盤に備えられていることを特徴とするエレベータの保守装置。
【請求項４】
請求項１ないし３のいずれか１項に記載にエレベータの保守装置において、
報知手段をさらに備え、
前記登録が完了したとき、前記報知手段から登録が完了した旨報知することを特徴とするエレベータの保守装置。
【請求項５】
請求項１ないし４のいずれか１項に記載のエレベータの保守装置において、
前記点検用スイッチボックスに平常運転モードと停止モードとを切替える切替えスイッチが設けられ、
前記記憶手段から消去する場合には、前記切替えスイッチを平常運転モードに切替えた後に、上昇釦と下降釦とを同時長押しし、その後、切替えスイッチを停止モード側に切替えることを特徴とするエレベータの保守装置。
【請求項６】
つり合いおもり及び乗りかごが主ロープにより連結され、当該主ロープを巻上機によって駆動することにより、前記乗りかごを昇降させるエレベータの保守方法において、
前記乗りかごの上昇と下降を指示入力するための上昇釦及び下降釦が設けられた点検用スイッチボックスの前記上昇釦と前記下降釦を同時に所定時間長押ししたとき、そのときのかご位置を記憶手段に登録することを特徴とするエレベータの保守方法。
【請求項７】
請求項６に記載のエレベータの保守方法において、
前記点検用スイッチボックスには、平常運転モードと停止モードとを切替える切替えスイッチが設けられ、
前記替えスイッチを平常運転モードに切替えた後に、上昇釦と下降釦とを同時に所定時間長押しし、その後、切替えスイッチを停止モード側に切替えることにより前記かご位置を前記記憶手段から消去することを特徴とするエレベータの保守方法。
【請求項８】
請求項７に記載のエレベータの保守方法において、
前回記憶したかご位置を今回の点検作業で乗りかごが通過したときに報知手段により報知し、
この報知に対応して切替えスイッチを停止モードに切替えて乗りかごを停止させ、
所定の点検作業終了後、継続点検が不要と判断したとき、前記かご位置を記憶手段から消去し、
必要と判断したとき、前記かご位置の記憶を保存することを特徴とするエレベータの保守方法。
【請求項９】
請求項８に記載のエレベータの保守方法において、
前記点検作業が、前記主ロープの素線破断状態の有無の点検であることを特徴とするエレベータの保守方法。
【発明の詳細な説明】
【技術分野】
【０００１】
本発明は、エレベータの保守装置及び保守方法に係り、さらに詳しくは再点検を必要とする場合に適用されるエレベータの保守装置及び保守方法に関する。
【背景技術】
【０００２】
一般的にエレベータの主ロープ点検は、かご上に点検作業者が乗った状態でかごを昇降させて、主ロープの素線破断の有無を目視で点検している。この点検で軽微な主ロープの素線破断箇所を発見したときには、継続的にその破断箇所を再点検する必要がある。しかし、この再点検位置を正確に把握することは難しいものであった。
【０００３】
そこで、例えば特許第５１００４５３号公報（特許文献１）には、主ロープの素線破断箇所を自動点検して記憶し、点検作業者による点検時には、前記記憶された破断箇所まで、かごを運転させて停止させる技術が開示されている。
【先行技術文献】
【特許文献】
【０００４】
【特許文献１】特許第５１００４５３号公報（段落００４２参照）
【発明の概要】
【発明が解決しようとする課題】
【０００５】
しかし、前記特許文献１記載の技術では、常に、エレベータに主ロープの素線破断検出装置を設けておく必要があることから、保守を行うエレベータの台数分の破断検出装置を用意する必要がある。従って、この破断検出装置のコストが大きな負担となり、低コストで保守作業を行うことができなかった。
【０００６】
そこで、本発明が解決しようとする課題は、特別な装置が不要で、低コストで主ロープの保守作業を可能とすることにある。
【課題を解決するための手段】
【０００７】
前記課題を解決するため、本発明は、つり合いおもり及び乗りかごが主ロープにより連結され、当該主ロープを巻上機によって駆動することにより、前記乗りかごを昇降させるエレベータの保守装置において、かご位置を記憶する記憶手段と、前記乗りかごの上昇と下降を指示入力するための上昇釦及び下降釦が設けられた点検用スイッチボックスと、を備え、前記上昇釦と前記下降釦を同時押ししたとき、そのときのかご位置を前記記憶手段に登録し、あるいは前記記憶手段から消去することを特徴とする。なお、前記以外の課題、構成及び効果は、以下の実施形態の説明によって明らかにされる。
【発明の効果】
【０００８】
本発明によれば、特別な装置が不要で、低コストで主ロープの保守作業を行うことができる。
【図面の簡単な説明】
【０００９】
【図１】本発明の実施形態に係るエレベータの保守装置を用いた主ロープの点検作業手順を示すフローチャートである。
【図２】本発明の実施形態に係るエレベータの構成を示す図である。
【図３】作業者が把持した点検用スイッチボックスの正面図である。
【図４】点検作業時における点検用スイッチボックス停止操作及び記憶操作とエレベータとの関係を示す説明図である。
【図５】再点検時の点検用スイッチボックス下降操作とエレベータとの関係を示す説明図である。
【図６】停止モード時の点検用スイッチボックスの操作とエレベータとの関係を示す説明図である。
【図７】かご位置情報消去時の点検用スイッチボックスの操作とエレベータとの関係を示す説明図である。
【発明を実施するための形態】
【００１０】
以下、図面を参照し、本発明の実施形態について説明する。
【００１１】
図１は本発明の実施形態に係るエレベータの保守装置を用いた主ロープの点検作業手順を示すフローチャート、図２は本実施形態に係るエレベータの構成を示す図、図３は作業者が把持した点検用スイッチボックスの正面図である。
【００１２】
図２において、エレベータ１は、乗りかご２とつり合いおもり６とを備え、両者は主ロープ８を介して連結されている。主ロープ８はシーブ（巻上機）７に巻き回され、図示しないモータによってシーブ７が回転駆動され、乗かご２とつり合いおもり６が主ロープ８に吊り下げられて釣瓶式に昇降路４０内を昇降する。乗かご２の上部には、点検作業時における走行停止指令を出力する点検用スイッチボックス３が設けられており、この点検用スイッチボックス３の操作指令は、テールコード２Ｂを介して制御盤１６に伝達され、制御盤１６により走行停止制御が行われる。
【００１３】
点検用スイッチボックス３には、図３に示すように、押圧することで乗りかご２の上昇走行指令を出力する上昇釦３Ｂと、押圧することで乗かご２の下降走行指令を出力する下降釦３Ｃと、平常運転モードと停止モードとを切替える切替えスイッチ３Ａとが設けられている。
【００１４】
主ロープ８の点検作業は、作業者Ａが点検用スイッチボックス３の各釦３Ａ，３Ｂ，３Ｃを操作しながら行う。そこで、図１に示すように、主ロープ８を点検する作業者Ａが点検作業を開始し、図２に示すように最上階から乗りかご２のかご上２Ａに乗り込む（ステップＳ１：以下、Ｓ１のようにステップを省略する。）。次に作業者Ａは、かご上２Ａに設けられた点検用スイッチボックス３の下降釦３Ｃ（拡大図３Ｄ参照）を押圧し、制御盤１６に対して乗りかご２の下降指令を出力して、乗かご２を最上階から矢印５方向に下降させる（Ｓ２）。
【００１５】
そして、かご上２Ａの作業者Ａがかご２を下降（矢印５方向）｝させ、主ロープ８に異常箇所有るか否かを点検し（Ｓ３）、異常箇所がなければ（Ｓ３：ＮＯ）点検を継続する（Ｓ４）。
【００１６】
ステップＳ３で主ロープ８に素線破断（異常）箇所１１が発見されたとき（Ｓ３：ＹＥＳ）、軽微なもので即日交換不要か、交換要のいずれかを判断する（Ｓ５）。交換が必要な場合（Ｓ５：ＮＯ）には、主ロープ８の交換を実施する（Ｓ６）。主ロープ８は、図示しない素線と呼ばれる複数の細い鋼線が撚り合わされて形成されており、異常箇所１１として検出した位置において、素線切れが生じていても、即時に主ロープ８の全体が破断することはなく、即時交換の必要はない。しかし、異常箇所１１が摩耗屈曲を継続すると更に素線切れが生じるため、即日交換が不要であるにしても（Ｓ５：ＹＥＳ）、次回、再点検を行う必要がある（Ｓ７）。
【００１７】
そこで、図４の点検作業時における停止操作と記憶操作を示す説明図に示すように、異常箇所１１を確認した作業者Ａは直ちに下降釦３Ｃの押圧を解除して、上昇釦３Ｂと下降釦３Ｃとを同時に所定時間（例えば２秒間）長押しする（Ｓ８：拡大図３Ｅ参照））。この上昇釦３Ｂと下降釦３Ｃとの組合せ操作出力は、テールコード２Ｂを介して制御盤１６に伝達され、主ロープ８の再点検が必要となるかご２の位置情報（かご位置１５）が、制御盤１６内の記憶装置１６ａに記憶される（Ｓ９）。
【００１８】
この記憶が完了したなら、制御盤１６からの駆動指令により、かご上２Ａに備わっているブザー２０（報知装置）を鳴動させる（Ｓ１０）。また、騒音が激しくブザー２０の鳴動音が確認し難い場合は、かご上２Ａに設けられている図示しない点検灯（報知装置）などを点滅させても良い。この報知装置による報知を確認した作業者Ａは、上昇釦３Ｂと下降釦３Ｃの同時押し操作１８を解除する（Ｓ１１）。そしてその後、作業者Ａは、その他の点検を継続した（Ｓ１２）後、作業を終了する（Ｓ１３）。
【００１９】
図５は再点検時の下降操作を示す説明図である。ステップＳ９から前回の作業者Ａの点検情報を引継いだ作業者Ｂは、作業者Ａと同様に図５に示すように、最上階からかご上２Ａに乗込み、再点検作業を開始する（Ｓ１４）。かご上２Ａの作業者Ｂは、点検用スイッチボックス３の下降釦３Ｃを操作し、かご２を矢印５方向に下降させる（Ｓ１５：拡大図３Ｆ参照）。
【００２０】
そして、乗りかご２が、作業者Ａが制御盤１６に記憶させた再点検を要するかご位置１５まで走行したなら、言い換えれば前記かご位置を通過したら（Ｓ１６）、制御盤１６からの指令によりかご上２Ａに予め備わっているブザー２０を鳴動させる（Ｓ１７）。図６は乗りかご２の停止モード時の作業状態を示す説明図である。作業者Ｂが、ステップＳ１７で鳴動するブザー２０の鳴動に気付くと、下降釦３Ｃの押圧操作を解除するとともに、切替えスイッチ３Ａを停止側に投入してかご２を停止モードとする（Ｓ１８：拡大図３Ｇ参照）。その後、主ロープ８の素線破断（異常）箇所１１の再点検作業を開始する（Ｓ１９）。
【００２１】
次いで、作業者Ｂは再点検後に、更なる再点検が必要か否か（点検終了か）を判断し（Ｓ２０）、再々点検が必要な場合は（Ｓ２０：ＮＯ）、拡大図３Ｅに示したように上昇釦３Ｂと下降釦３Ｃとを同時に所定時間（例えば２秒間）長押しして、制御盤１６の記憶装置１６ａにかご位置情報１５を記憶させ（Ｓ２１）、次回点検作業者に記憶情報を引継ぐ（Ｓ２２）。また、ここでは図示していないが、主ロープ８の素線破断が進んでおり、交換が必要であれば、ステップＳ５及びＳ６の処理と同様に主ロープ８を交換する。
【００２２】
一方、作業者Ｂが再点検後に、更なる再点検（再々点検）は不要であると判断した場合は（Ｓ２０：ＹＥＳ）、制御盤１６に記憶させたかご位置情報を消去する（Ｓ２３）。ここで再々点検の不要と判断する場合の一例としては、作業者Ａと作業者Ｂの点検の間に、第三者の手で主ロープ８の交換が実施され、それ以降の同一箇所の点検が不要になった場合が挙げられる。
【００２３】
図７はかご位置情報消去時の作業状態を示す説明図である。前記かご位置情報の消去方法としては、図７に示すように、作業者Ｂは、点検用スイッチボックス３の切替えスイッチ３Ａを通常側に戻して停止モードを一度解除した（Ｓ２４）後に、上昇釦３Ｂと下降釦３Ｃとを、同時長押しし（Ｓ２５）、その後に、再度、切替えスイッチ３Ａを停止側に投入して（Ｓ２６）、制御盤１６のかご位置情報１５を消去する（Ｓ２７）。
【００２４】
このかご位置情報の消去が完了したなら、制御盤１６は、駆動指令を出力して、かご上２Ａに備わっているブザー２０（報知装置）を鳴動させる（Ｓ２８）。この報知装置による報知を確認した作業者Ｂは、上昇釦３Ｂと下降釦３Ｃの同時押し操作１８を解除する（Ｓ２９）。その後、作業者Ｂは、切替えスイッチ３Ａを通常側に戻して停止モードを解除し（Ｓ３０）、その他の点検を継続した（Ｓ３１）後、作業を終了する（Ｓ３２）。
【００２５】
このように、本発明のエレベータの保守装置にすれば、かご位置１５を記憶させる制御盤１６と、点検用スイッチボックス３に設けられた釦操作により簡易に記憶及び消去が可能で、再点検を引継ぐ作業者に対し容易に点検位置を知らせる事が可能となり前作業者の示した点検位置を探す労力を低減できる。
【００２６】
更に本実施の形態では、主ロープ８の点検について説明したが、主ロープ８の異常箇所１１の登録だけでなく、かご上２Ａで作業者Ａ，Ｂが発見したその他の異常の任意の箇所を簡易に登録可能であるため、エレベータ点検作業を効率よく行うことが可能である。
【００２７】
以上のように、本実施形態によれば、次のような効果を奏する。なお、以下の効果の説明では、本実施形態の各部について、特許請求の範囲における各構成要素をかっこ書きで示し、若しくは参照符号を付し、両者の対応関係を明確にした。
【００２８】
（１）つり合いおもり６及び乗りかご２が主ロープ８により連結され、主ロープ８をシーブ（巻上機）７によって駆動することにより、乗りかご２を昇降させるエレベータ１の保守装置において、かご位置１５を記憶する記憶装置（記憶手段）１６Ａと、乗りかご２の上昇と下降を指示入力するための上昇釦３Ｂ及び下降釦３Ｃが設けられた点検用スイッチボックス３と、を備え、上昇釦３Ｂと下降釦３Ｃを同時押ししたとき、そのときのかご位置１５を記憶装置１６Ａに登録し、あるいは記憶装置１６Ａから消去するので、釦の組合せ操作により、再点検を要するかご位置１５を容易に登録し、あるいは消去することができる。その結果、特別な装置が不要で、低コストで主ロープ８の再点検を行うことが可能となる。
【００２９】
（２）前記同時押しが、所定時間の長押しであるので、機能に応じた釦を別途設ける必要がなく、ソフトウェアにより既存の上昇釦３Ｂ及び下降釦３Ｃの押圧操作に登録機能及び消去機能を割り付けることができる。
【００３０】
（３）前記記憶装置１６Ａが、かご上２Ａに設けられた制御盤１６に備えられているので、記憶装置を別途設ける必要がない。その際、元々制御盤１６に備えられているメモリの空き領域を使用すれば、制御盤１６のメモリのメモリ設定だけでかご位置１５を記憶させることができる。
【００３１】
（４）ブザー（報知手段）２０をさらに備え、かご位置１５の登録が完了したとき、ブザー２０を鳴動させて登録が完了した旨報知するので、作業中の作業者に確実に登録完了を報知することができる。
【００３２】
（５）前記点検用スイッチボックス３に平常運転モードと停止モードとを切替える切替えスイッチ３Ａが設けられ、記憶装置１６Ａから消去する場合には、切替えスイッチ３Ａを平常運転モードに切替えた後に、上昇釦３Ｂと下降釦３Ｂとを同時長押しし、その後、切替えスイッチ３Ａを停止モード側に切替えるだけで消去されるので、消去用のスイッチを別途設ける必要がない。
【００３３】
（６）前回記憶したかご位置１５を今回の点検作業で乗りかご２が通過したときにブザー２０により報知し、この報知に対応して切替えスイッチ３Ａを停止モードに切替えて乗りかご２を停止させ、所定の点検作業終了後、継続点検が不要と判断したとき、かご位置１５を記憶装置１６Ａから消去し、必要と判断したとき、かご位置１５の記憶を保存するので、点検結果に応じて適宜かご位置１５の記憶装置１６Ａからの消去と記憶保持のいずれかを選択することができる。
【００３４】
（７）前記点検作業が、主ロープ８の素線破断状態の有無の点検であるので、素線破断点検の作業性を向上させることができる。
【００３５】
（８）点検作業中に作業者が素線破断箇所に気付いたときに、点検用スイッチボックス３の上昇釦３Ｂと下降釦３Ｃの複合操作で、そのときのかご位置を記憶させ、再点検時に前記記憶した位置までかごが走行したとき、その位置を報知するので、再点検を容易かつ効率的に行うことができる。
【００３６】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３７】
１  エレベータ
２  乗りかご
２Ａ  かご上
３  点検用スイッチボックス
３Ａ  切替えスイッチ
３Ｂ  上昇釦
３Ｃ  下降釦
６  つり合いおもり
７  シーブ（巻上機）
８  主ロープ
１５  かご位置
１６  制御盤
１６Ａ  記憶装置（記憶手段）
２０  ブザー（報知手段）
【図１】
2016008092.tif 000003
【図２】
2016008092.tif 000004
【図３】
2016008092.tif 000005
【図４】
2016008092.tif 000006
【図５】
2016008092.tif 000007
【図６】
2016008092.tif 000008
【図７】
2016008092.tif 000009